【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  複数の信号強度測定を行うことを含む受信信号の信号強度決定方法であって、信号強度測定は所定数の値から選択される関連値を有し、該方法は、
所定数の値の各々に対応する信号強度測定の発生数を累算するステップと、
累算した発生数から受信信号の信号強度を決定するステップと、
を含む方法。
【請求項２】  請求項１記載の方法であって、前記累算ステップは各々が所定数の値の１つに関連する複数のカウンタ内の信号強度測定の発生数を累算するステップを含む方法。
【請求項３】  請求項２記載の方法であって、所定数の値は信号強度測定に単調に関連されている方法。
【請求項４】  請求項３記載の方法であって、所定数の値は信号強度測定の対数を表わす方法。
【請求項５】  請求項３記載の方法であって、信号強度を決定する前記ステップは複数のカウンタの中の第１のカウンタの値カウントを減少し複数のカウンタの中の第２のカウンタを増分することにより１よりも大きい値カウントを有する複数のカウンタの中の第１のカウンタの値カウントを減少するステップを含み、複数のカウンタの中の第１のカウンタは所定数の値の中の１つに関連付けられている方法。
【請求項６】  請求項５記載の方法であって、複数のカウンタの中の前記第２のカウンタは複数のカウンタの中の第１のカウンタの所定数の値の中の関連する１つの値の倍数に対応する所定数の値の中の１つの値に関連付けられている方法。
【請求項７】  請求項５記載の方法であって、信号強度を決定する前記ステップはさらに複数のカウンタの中の第２のカウンタがオーバフローする場合に複数のカウンタの中の第３のカウンタを増分するステップを含む方法。
【請求項８】  請求項５記載の方法であって、信号強度を決定する前記ステップはさらに複数のカウンタのいずれもが１よりも大きい値カウントを持たなくなるまで前記減少ステップを繰り返すステップを含む方法。
【請求項９】  請求項８記載の方法であって、信号強度を決定する前記ステップはさらに、前記繰返しステップに続いて、単ビットメモリ要素内の複数のカウンタの各々の値カウントを格納するステップを含む方法。
【請求項１０】  請求項８記載の方法であって、信号強度を決定する前記ステップはさらに、複数のカウンタの中のもう１つのカウンタを増分することにより複数のカウンタの中の２つのカウンタ内の非ゼロカウントを置換するステップを含む方法。
【請求項１１】  請求項１０記載の方法であって、信号強度を決定する前記ステップはさらに、複数のカウンタの中の１つのカウンタしか複数の信号強度測定の和に対応する非ゼロカウントを含まなくなるまで複数のカウンタの中のもう１つのカウンタを増分することにより複数のカウンタの中の２つのカウンタ内の非ゼロカウントを置換する前記ステップを繰り返して信号強度の表示を与えるステップを含む方法。
【請求項１２】  請求項１１記載の方法であって、受信信号は通信媒体を介して受信局において送信局から受信する信号である方法。
【請求項１３】  請求項１２記載の方法であって、通信媒体はワイヤレス通信媒体である方法。
【請求項１４】  各々が受信信号の信号強度を表わす所定数の値の１つに対応する単ビットメモリ要素（１００）を使用する請求項１記載の方法であって、複数の信号強度測定を行うステップは信号の信号強度測定を行って信号強度測定値を与えるステップを含み累算ステップは、
単ビットメモリ要素（１００）をゼロに初期化するステップと、
モジュロ−２演算を使用して信号強度測定値に対応する単ビットメモリ要素（１００）の中の第１の要素を増分するステップと、
単ビットメモリ要素（１００）の中の第１の要素を増分する前記ステップによりキャリーが発生される場合にはモジュロ−２算術を使用して単ビットメモリ要素（１００）の中の第１の要素の値の２倍に対応する単ビットメモリ要素（１００）の中の第２の要素を増分するステップと、
キャリーを発生する単ビットメモリ要素（１００）の値の２倍に対応する単ビットメモリ要素（１００）を繰返し増分することにより単ビットメモリ要素（１００）の中の第２の要素を増分する前記ステップから任意のキャリーを伝播するステップとを含み、該方法はさらに、
所望する信号強度測定数が累算されるまで前記信号強度測定を行い、単ビットメモリ要素（１００）の中の第１の要素を増分し、単ビットメモリ要素（１００）の中の第２の要素を増分し任意のキャリーを伝播するステップを繰り返すステップを含み、
決定ステップは信号強度測定の和を示す所定数の値の１つに対応する単ビットメモリ要素（１００）の中の非ゼロ要素を与えるステップを含む方法。
【請求項１５】  請求項１４記載の方法であって、２分の１により関連される対応する値を有する単ビットメモリ要素（１００）が互いに鎖でつながれて２進語を形成する方法。
【請求項１６】  受信信号の複数の信号強度測定を行う手段（１６，１７）を含む受信信号の信号強度決定装置であって、信号強度測定は所定数の値から選択される関連値を有し、該装置はさらに、
所定数の値の各々に対応する信号強度測定の発生数を累算する手段（１００，２００）と、
累算した発生数から受信信号の信号強度を決定する手段（２００）と、
を含む装置。
【請求項１７】  請求項１６記載の装置であって、前記累算手段は複数のカウンタを含み、前記カウンタの各々が所定数の値の１つに関連付けられている装置。
【請求項１８】  請求項１７記載の装置であって、所定数の値は信号強度測定に単調に関連されている装置。
【請求項１９】  請求項１８記載の装置であって、所定数の値は信号強度測定の対数を表わす装置。
【請求項２０】  請求項１８記載の装置であって、信号強度を決定する前記手段は複数のカウンタの中の第１のカウンタの値カウントを減少し複数のカウンタの中の第２のカウンタを増分することにより１よりも大きい値カウントを有する複数のカウンタの中の第１のカウンタの値カウントを減少する手段（２００）を含む装置。
【請求項２１】  請求項２０記載の装置であって、複数のカウンタの中の前記第２のカウンタの所定数の値の中の関連する１つの値は複数のカウンタの中の第１のカウンタの所定数の値の中の１つの値の倍数に対応する装置。
【請求項２２】  請求項２０記載の装置であって、信号強度を決定する前記手段はさらに複数のカウンタの中の第２のカウンタがオーバフローする場合に複数のカウンタの中の第３のカウンタを増分する手段（２００）を含む装置。
【請求項２３】  請求項２２記載の装置であって、信号強度を決定する前記手段はさらに単ビットメモリ要素内の複数のカウンタの各々の値カウントを格納する手段（２００）を含む装置。
【請求項２４】  請求項２２記載の装置であって、信号強度を決定する前記手段（２００）はさらに、複数のカウンタの中のもう１つのカウンタを増分することにより複数のカウンタの中の２つのカウンタ内の非ゼロカウントを置換する手段を含む装置。
【請求項２５】  請求項２４記載の装置であって、受信信号は通信媒体を介して受信局において送信局から受信する信号である装置。
【請求項２６】  請求項２５記載の装置であって、通信媒体はワイヤレス通信媒体である装置。
【請求項２７】  請求項１６記載の装置であって、該装置は、
各々が受信信号の信号強度を表わす所定数の値の１つに関連付けられた複数の単ビットメモリ要素（１００）を含み、
複数の信号強度測定を行う手段（１６，１７）は受信信号の信号強度を測定して信号強度測定値を与える手段を含み、
累算手段（１００，２００）は、
単ビットメモリ要素をゼロに初期化する手段（２００）と、
モジュロ−２算術を使用して信号強度測定値に対応する単ビットメモリ要素の中の第１の要素を増分する手段（２００）と、
単ビットメモリ要素の中の第１の要素を増分する前記手段によりキャリーが発生される場合にはモジュロ−２算術を使用して単ビットメモリ要素の中の第１の要素の値の２倍に対応する単ビットメモリ要素の中の第２の要素を増分する手段（２００）と、
キャリーを発生する単ビットメモリ要素の値の２倍に対応する単ビットメモリ要素を繰返し増分することにより単ビットメモリ要素の中の第２の要素を増分する前記手段から任意のキャリーを伝播する手段（２００）とを含み、
該装置はさらに所望数の信号強度測定値が累算されている時を確認する手段（２００）を含み、
信号強度決定手段（２００）は所望数の信号強度測定値が累算されている時を確認する手段に応答して信号強度測定の和を示す所定数の値の中の１つの値に対応する単ビットメモリ要素の中の非ゼロ要素を与える手段を含む装置。
【請求項２８】  請求項２７記載の装置であって、２分の１により関連される対応する値を有する単ビットメモリ要素（１００）が互いに鎖でつながれて２進語メモリ要素を形成する装置。
【請求項２９】  受信信号の複数の信号強度を測定するコンピュータ読取可能プログラムコード手段を含む受信信号の信号強度を決定するようにされたコンピュータプログラム手段であって、信号強度測定は所定数の値から選択される関連値を有し、該コンピュータプログラム手段はさらに、
前記媒体内に具現されたコンピュータ読取可能プログラムコード手段を有するコンピュータ読取可能記憶媒体を含み、前記コンピュータ読取可能プログラムコード手段は、
所定数の値の各々に対応する信号強度測定の発生数を累算するコンピュータ読取可能プログラムコード手段と、
累算した発生数から受信信号の信号強度を決定するコンピュータ読取可能プログラムコード手段と、
を含むコンピュータプログラム手段。
【請求項３０】  請求項２９記載のコンピュータプログラム手段であって、所定数の値は信号強度測定に単調に関連されているコンピュータプログラム手段。
【請求項３１】  請求項３０記載のコンピュータプログラム手段であって、所定数の値は信号強度測定の対数を表わすコンピュータプログラム手段。
【請求項３２】  請求項３０記載のコンピュータプログラム手段であって、受信信号は通信媒体を介して受信局において送信局から受信する信号であるコンピュータプログラム手段。
【請求項３３】  請求項３２記載のコンピュータプログラム手段であって、通信媒体はワイヤレス通信媒体であるコンピュータプログラム手段。
【請求項３４】  請求項２９記載のコンピュータプログラム手段であって、該コンピュータプログラム手段は各々が受信信号の信号強度を表わす所定数の値の１つに関連付けられた複数の単ビットメモリ要素を使用し、複数の信号強度測定を行うコンピュータ読取可能プログラムコード手段は受信信号の信号強度測定を行って信号強度測定値を与えるコンピュータ読取可能プログラムコード手段を含み、
前記累算を行うコンピュータ読取可能プログラムコード手段は、
単ビットメモリ要素をゼロに初期化するコンピュータ読取可能プログラムコード手段と、
モジュロ−２算術を使用して信号強度測定値に対応する単ビットメモリ要素の中の第１の要素を増分するコンピュータ読取可能プログラムコード手段と、
単ビットメモリ要素の中の第１の要素を増分する前記コンピュータ読取可能プログラムコード手段によりキャリーが発生される場合にはモジュロ−２算術を使用して単ビットメモリ要素の中の第１の要素の値の２倍に対応する単ビットメモリ要素の中の第２の要素を増分するコンピュータ読取可能プログラムコード手段と、
キャリーを発生する単ビットメモリ要素の値の２倍に対応する単ビットメモリ要素を繰返し増分することにより単ビットメモリ要素の中の第２の要素を増分する前記コンピュータ読取可能プログラムコード手段から任意のキャリーを伝播するコンピュータ読取可能プログラムコード手段とを含み、
前記コンピュータプログラム手段はさらに所望数の信号強度測定が累算されている時を確認するコンピュータ読取可能プログラムコード手段を含み、
信号強度を決定するコンピュータ読取可能プログラムコード手段は、
コンピュータ読取可能プログラムコード手段に応答して所望数の信号強度測定が累算されている時を確認する信号強度測定の和を示す、
所定数の値の中の１つに対応する単ビットメモリ要素の中の非ゼロ要素を与えるコンピュータ読取可能プログラムコード手段を含む、コンピュータプログラム手段。
【請求項３５】  請求項３４記載のコンピュータプログラム手段であって、２分の１により関連される対応する値を有する単ビットメモリ要素が互いに鎖でつながれて２進語メモリ要素を形成するコンピュータプログラム手段。